(57)【要約】【課題】  光ディスクの種類やその倍速数が異なる場合であっても使用可能な対物レンズ駆動装置を提供する。【解決手段】  対物レンズ駆動装置１は、対物レンズ６を備えた可動部２と、保持部材１３ａ、１３ｂが設けられた基台３と、一端側が可動部２に固定されて他端側が保持部材一３ａ、１３ｂに固定されてラジアル方向の両側に配置されることにより可動部２を基台３に対して弾性的に支持する複数の弾性支持部材４と、を具備し、可動部２は、ラジアルチルト方向の固有振動数を変更可能に設けられている。可動部２のラジアルチルト方向の固有振動数を変更することにより、光ディスクの回転数が異なる各種の光ディスク装置においてこの対物レンズ駆動装置１を使用することにより、光ディスクの回転数と可動部２の固有振動数とが一致することを防止でき、対物レンズ駆動装置１の汎用性を高め、光ディスクに対する記録再生特性を良好に維持することができる。【選択図】    図２
2006048757.tif 000002
【特許請求の範囲】
【請求項１】
光スポットを形成する対物レンズとこの対物レンズを保持する対物レンズ保持部材とこの対物レンズ保持部材に固定された駆動用コイルとを備えた可動部と、
保持部材とヨークとが設けられた基台と、
一端側が前記可動部に固定されて他端側が前記保持部材に固定されてラジアル方向の両側に配置され、前記可動部を前記基台に対して弾性的に支持する複数の弾性支持部材と、
前記ヨークに取付けられて前記駆動用コイルに近接対向された駆動用磁石と、
を具備し、
前記可動部は、ラジアルチルト方向の固有振動数を変更可能に設けられている対物レンズ駆動装置。
【請求項２】
前記可動部のラジアルチルト方向の固有振動数の変更は、前記弾性支持部材の捻り剛性を変化させることにより行われる請求項１記載の対物レンズ駆動装置。
【請求項３】
前記保持部材は、ラジアル方向に分離して配置された第１保持部材と第２保持部材との２つからなり、ラジアル方向の一側に位置する前記弾性部材の他端側が前記第１保持部材に固定され、ラジアル方向の他側に位置する他の前記弾性部材の他端側が前記第２保持部材に固定され、前記第１・第２保持部材に固定されている前記弾性支持部材の他端側の間隔を可変する方向に前記第１・第２保持部材を位置調節することにより前記弾性支持部材の捻り剛性を変化させる請求項２記載の対物レンズ駆動装置。
【請求項４】
２つに分離された前記第１・第２保持部材は、タンジェンシャル方向と直交する方向に位置調節可能に設けられている請求項３記載の対物レンズ駆動装置。
【請求項５】
２つに分離された前記第１・第２保持部材は、前記対物レンズの光軸を中心とする円弧上に沿って位置調節可能に設けられている請求項３記載の対物レンズ駆動装置。
【請求項６】
前記保持部材は、ラジアル方向の両側に位置する第１保持部と第２保持部とこれらの第１・第２保持部材を連結した弾性ヒンジとにより形成され、ラジアル方向の一側に位置する前記弾性部材の他端側が前記第１保持部材に固定され、ラジアル方向の他側に位置する他の前記弾性部材の他端側が前記第２保持部材に固定され、前記第１・第２保持部材に固定されている前記弾性支持部材の他端側の間隔を可変する方向に前記第１・第２保持部材を前記弾性ヒンジとの連結部で回動させることにより前記弾性支持部材の捻り剛性を変化させる請求項２記載の対物レンズ駆動装置。
【請求項７】
前記第１・第２保持部材は、一端側を前記可動部に固定されて片持ち支持された前記弾性支持部材の他端側の移動軌跡上をラジアル方向に沿って逆方向に位置調節可能に設けられている請求項３ないし６のいずれか一記載の対物レンズ駆動装置。
【請求項８】
前記第１・第２保持部材は、ラジアル方向の両側に配置された前記弾性支持部材がタンジェンシャル方向と平行に延出する位置と、前記弾性支持部材の前記第１・第２保持部材に固定された側の間隔が広がった位置とに選択固定可能である請求項３ないし７のいずれか一記載の対物レンズ駆動装置。
【請求項９】
光ディスクに対して照射するレーザ光を発するレーザ光源と、
請求項１ないし８のいずれか一記載の対物レンズ駆動装置と、
前記光ディスクからの反射光を受光する受光光学系と、
前記受光光学系における受光信号に基づいて前記対物レンズ駆動装置に対する制御信号を出力する対物レンズ制御系と、
を具備する光ピックアップ装置。
【請求項１０】
光ディスクを回転駆動する回転駆動系と、
前記光ディスクの半径方向に移動可能に設けられた請求項９記載の光ピックアップ装置と、
を具備する光ディスク装置。
【発明の詳細な説明】
【技術分野】
【０００１】
本発明は、対物レンズ駆動装置、この対物レンズ駆動装置を用いた光ピックアップ装置及びこの光ピックアップ装置を用いた光ディスク装置に関する。
【背景技術】
【０００２】
光ディスク装置などで使用される対物レンズ駆動装置のラジアルチルト方向の固有振動数は、３軸対物レンズ駆動装置の場合アクティブラジアルチルト感度最大の振動数であるが、光ディスクのフォーカス方向とラジアル方向とに追従可能な２軸対物レンズ駆動装置、及び、これにラジアルチルト補正を可能とした３軸対物レンズ駆動装置のいずれにおいても、フォーカス方向やラジアル方向に加振された場合に発生するパッシブラジアルチルト感度も最大に近い振動数となる。
【０００３】
ところで、光ディスク装置でも、ＤＶＤやＣＤに対する高速記録再生能力を要求される可能性が高くなり、各光ディスク装置は、その光ディスクで使用される光ディスクの種類、対応倍速数により、異なった回転数で回転駆動されることになる。
【０００４】
この光ディスクの回転数が対物レンズ駆動装置のラジアルチルト方向の固有振動数と一致すると、面ぶれや偏芯に追従するように対物レンズ駆動装置の可動部を移動させるときに強制加振を受けて発生するパッシブラジアルチルトが増大し、記録再生特性が劣化することになる。
【０００５】
そこで、光ディスクの回転数と対物レンズ駆動装置のラジアルチルト方向の固有振動数とが一致しないように対物レンズ駆動装置のラジアルチルト方向の固有振動数を設定することが提案されている（例えば、特許文献１参照）。
【０００６】
【特許文献１】特開２００２−６３７２５公報
【発明の開示】
【発明が解決しようとする課題】
【０００７】
ところが、光ディスクの回転数が、各種の光ディスクや各倍速数に応じて変化すると、光ディスク装置の設計時に対物レンズ駆動装置のラジアルチルト方向の固有振動数を光ディスクの回転数と一致しないように予めずらしておくということができない。
【０００８】
ラジアルチルト方向の角度補正を可能とした３軸対物レンズ駆動装置の場合にも、オープン駆動を行う場合には発生するパッシブラジアルチルトを補正することができない。
【０００９】
つまり、見かけ上同じ仕様の光ディスク装置に対しても、それらの光ディスク装置がサポートする全ての光ディスクの全ての倍速数に対して同じ対物レンズ駆動装置では対応できない。
【００１０】
各種の光ディスクにおける各倍速数に対応する対物レンズ駆動装置を個々に設計することは、対物レンズ駆動装置の汎用性がなくなり、コストアップとなる。特許文献１に開示された発明は、各光ディスク装置に対応して対物レンズ駆動装置を設計するものである。
【００１１】
本発明の目的は、光ディスクの種類やその倍速数が異なる場合であっても使用可能な対物レンズ駆動装置を提供することである。
【課題を解決するための手段】
【００１２】
請求項１記載の発明の対物レンズ駆動装置は、光スポットを形成する対物レンズとこの対物レンズを保持する対物レンズ保持部材とこの対物レンズ保持部材に固定された駆動用コイルとを備えた可動部と、保持部材とヨークとが設けられた基台と、一端側が前記可動部に固定されて他端側が前記保持部材に固定されてラジアル方向の両側に配置され、前記可動部を前記基台に対して弾性的に支持する複数の弾性支持部材と、前記ヨークに取付けられて前記駆動用コイルに近接対向された駆動用磁石と、を具備し、前記可動部は、ラジアルチルト方向の固有振動数を変更可能に設けられている。
【００１３】
請求項２記載の発明は、請求項１記載の対物レンズ駆動装置において、前記可動部のラジアルチルト方向の固有振動数の変更は、前記弾性支持部材の捻り剛性を変化させることにより行われる。
【００１４】
請求項３記載の発明は、請求項２記載の対物レンズ駆動装置において、前記保持部材は、ラジアル方向に分離して配置された第１保持部材と第２保持部材との２つからなり、ラジアル方向の一側に位置する前記弾性部材の他端側が前記第１保持部材に固定され、ラジアル方向の他側に位置する他の前記弾性部材の他端側が前記第２保持部材に固定され、前記第１・第２保持部材に固定されている前記弾性支持部材の他端側の間隔を可変する方向に前記第１・第２保持部材を位置調節することにより前記弾性支持部材の捻り剛性を変化させる。
【００１５】
請求項４記載の発明は、請求項３記載の対物レンズ駆動装置において、２つに分離された前記第１・第２保持部材は、タンジェンシャル方向と直交する方向に位置調節可能に設けられている。
【００１６】
請求項５記載の発明は、請求項３記載の対物レンズ駆動装置において、２つに分離された前記第１・第２保持部材は、前記対物レンズの光軸を中心とする円弧上に沿って位置調節可能に設けられている。
【００１７】
請求項６記載の発明は、請求項２記載の対物レンズ駆動装置において、ラジアル方向の両側に位置する第１保持部と第２保持部とこれらの第１・第２保持部材を連結した弾性ヒンジとにより形成され、ラジアル方向の一側に位置する前記弾性部材の他端側が前記第１保持部材に固定され、ラジアル方向の他側に位置する他の前記弾性部材の他端側が前記第２保持部材に固定され、前記第１・第２保持部材に固定されている前記弾性支持部材の他端側の間隔を可変する方向に前記第１・第２保持部材を前記弾性ヒンジとの連結部で回動させることにより前記弾性支持部材の捻り剛性を変化させる。
【００１８】
請求項７記載の発明は、請求項３ないし６のいずれか一記載の対物レンズ駆動装置において、前記第１・第２保持部材は、一端側を前記可動部に固定されて片持ち支持された前記弾性支持部材の他端側の移動軌跡上をラジアル方向に沿って逆方向に位置調節可能に設けられている。
【００１９】
請求項８記載の発明は、請求項３ないし７のいずれか一記載の対物レンズ駆動装置において、前記第１・第２保持部材は、ラジアル方向の両側に配置された前記弾性支持部材がタンジェンシャル方向で平行に対向する位置と、前記弾性支持部材の前記第１・第２保持部材に固定された側の間隔が広がった位置とに選択固定可能である。
【００２０】
請求項９記載の発明の光ピックアップ装置は、光ディスクに対して照射するレーザ光を発するレーザ光源と、請求項１ないし８のいずれか一記載の対物レンズ駆動装置と、
前記光ディスクからの反射光を受光する受光光学系と、前記受光光学系における受光信号に基づいて前記対物レンズ駆動装置に対する制御信号を出力する対物レンズ制御系と、を具備する。
【００２１】
請求項１０記載の発明の光ディスク装置は、光ディスクを回転駆動する回転駆動系と、前記光ディスクの半径方向に移動可能に設けられた請求項９記載の光ピックアップ装置と、を具備する。
【発明の効果】
【００２２】
請求項１記載の発明の対物レンズ駆動装置によれば、可動部のラジアルチルト方向の固有振動数を変更することにより、光ディスクの種類や倍速数に応じて光ディスクの回転数が異なる各種の光ディスク装置においてこの対物レンズ駆動装置を使用した場合でも、光ディスクの回転数と可動部の固有振動数とが一致することを防止することができ、光ディスクに対する記録再生特性を良好に維持することができる。
【００２３】
請求項２記載の発明の対物レンズ駆動装置によれば、可動部のラジアルチルト方向の固有振動数の変更を弾性支持部材の捻り剛性を変化させることにより行うので、可動部の構造を変えることなく可動部のラジアルチルト方向の固有振動数を変更することができる。
【００２４】
請求項３記載の発明の対物レンズ駆動装置によれば、弾性支持部材の第１・第２保持部材に固定されている側の間隔を可変する方向に第１・第２保持部材を位置調節することにより弾性支持部材の捻り剛性を変化させ、それによって可動部のラジアルチルト方向の固有振動数を変更するので、可動部の構造を変えることなく可動部のラジアルチルト方向の固有振動数を変更することができる。
【００２５】
請求項４記載の発明の対物レンズ駆動装置によれば、可動部のラジアルチルト方向の固有振動数を変更する構造を簡単な構造とすることができる。
【００２６】
請求項５記載の発明の対物レンズ駆動装置によれば、可動部のラジアルチルト方向の固有振動数を変更する構造を簡単な構造とすることができ、さらに、第１・第２保持部材を位置調節しても可動部の変位量を小さく抑えることができる。
【００２７】
請求項６記載の発明の対物レンズ駆動装置によれば、弾性支持部材の第１・第２保持部材に固定されている側の間隔を可変する方向に第１・第２保持部材を位置調節することにより弾性支持部材の捻り剛性を変化させ、それによって可動部のラジアルチルト方向の固有振動数を変更するので、可動部の構造を変えることなく可動部のラジアルチルト方向の固有振動数を変更することができ、また、弾性支持部材の捻り剛性の変化は、第１・第２保持部材を弾性ヒンジとの連結部で回動させて第１・第２保持部材を位置調節することにより行えるので、弾性支持部材の捻り剛性を変化させるための構造を簡単な構造とし、及び、弾性支持部材の捻り剛性を変化させるための作業を簡単に行うことができる。
【００２８】
請求項７記載の発明の対物レンズ駆動装置によれば、第１・第２保持部材は、一端側を可動部に固定されて片持ち支持された弾性支持部材の他端側の移動軌跡上をラジアル方向に沿って逆方向に位置調節可能に設けられているので、第１・第２保持部材を位置調節した際における弾性支持部材への残留応力や残留歪の発生を低減することができる。
【００２９】
請求項８記載の発明の対物レンズ駆動装置によれば、弾性支持部材の捻り剛性の変更を、確実に行うことができる。
【００３０】
請求項９記載の発明の光ピックアップ装置によれば、請求項１ないし８のいずれか一記載の対物レンズ駆動装置を具備するので、請求項１ないし８のいずれか一記載の発明の効果と同じ効果を奏することができる。
【００３１】
請求項１０記載の発明の光ディスク装置によれば、請求項１ないし８のいずれか一記載の対物レンズ駆動装置を含んだ請求項９記載の光ピックアップ装置を具備するので、請求項１ないし８のいずれか一記載の発明の効果と同じ効果を奏することができる。
【発明を実施するための最良の形態】
【００３２】
本発明の第１の実施の形態を図１ないし図４に基づいて説明する。
【００３３】
図１は対物レンズ駆動装置を示す斜視図、図２はその平面図、図３はその側面図である。この対物レンズ駆動装置１は、可動部２、基台３、可動部２と基台３とを連結する弾性支持部材である４本のワイヤバネ４等により構成されている。
【００３４】
可動部２は、回転駆動される光ディスク５（図３参照）上に光スポットを形成する対物レンズ６、対物レンズ６を保持する対物レンズ保持部材７、駆動用コイルであるフォーカシングコイル８、トラッキングコイル９等により構成されている。対物レンズ保持部材７には角穴１０が形成され、角筒状に巻かれたフォーカシングコイル８がその外周面の３面を角穴１０の内周面に接着固定され、フォーカシングコイル８の外周面の残りの１面にトラッキングコイル９が接着固定されている。なお、ワイヤバネ４は、可動部２を基台３に対して弾性支持する機能と、フォーカシングコイル８及びトラッキングコイル９に対して通電する機能とを有するものであり、ワイヤバネ４の可動部２側の端部は、対物レンズ保持部材７に固定されたコイル端子基板１１に半田付けされている。また、４本のワイヤバネ４は、ラジアル方向に沿った両側に２本ずつ配置されている。
【００３５】
基台３には、一対のヨーク１２ａ、１２ｂ、保持部材１３、立ち上げプリズム１４等が設けられている。保持部材１３は、ラジアル方向に分離して配置された第１保持部材１３ａと第２保持部材１３ｂとにより構成されている。
【００３６】
ヨーク１２ａ、１２ｂは基台３と一体に形成され、これらのヨーク１２ａ、１２ｂには、駆動用磁石１５ａ、１５ｂが接着固定されている。これらのヨーク１２ａ、１２ｂと駆動用磁石１５ａ、１５ｂとは角穴１０に挿通され、駆動用磁石１５ａとフォーカシングコイル８とが近接対向され、駆動用磁石１５ｂとトラッキングコイル９とが近接対向されている。
【００３７】
第１・第２保持部材１３ａ、１３ｂは、ラジアル方向に沿った位置に配置され、タンジェンシャル方向と直交する方向に位置調節可能に基台３に取付けられている。第１保持部材１３ａには、４本のワイヤバネ４のうちのラジアル方向の一側に位置する２本のワイヤバネ４が固定され、第２保持部材１３ｂにはラジアル方向の他側に位置する２本のワイヤバネ４が固定されている。さらに、ワイヤバネ４の第１・第２保持部材１３ａ、１３ｂ側の先端部は、第１・第２保持部材１３ａ、１３ｂに貼り付けられた基板１６に半田付けされている。
【００３８】
基台３への第１・第２保持部材１３ａ、１３ｂの取り付けは、第１・第２保持部材１３ａ、１３ｂにラジアル方向に細長い長穴１７を形成し、この長穴１７にネジ１８を挿通し、ネジ１８を基台３に形成したネジ孔（図示せず）に螺合させることにより行われている。第１・第２保持部材１３ａ、１３ｂのタンジェンシャル方向と直交する方向への位置調節は、ネジ孔に螺合されているネジ１８を緩めた状態でネジ１８が長穴１７内を相対的に移動するように第１・第２保持部材１３ａ、１３ｂをスライドさせ、スライドさせた位置でネジ１８を締め付けることにより行う。ここで、第１・第２保持部材１３ａ、１３ｂを位置調節する場合には、送りねじ方式や電磁ソレノイド方式の公知の移動調整手段を用いることにより、第１・第２保持剤１３ａ、１３ｂを逆方向へ同じ寸法ずつ移動させることができる。
【００３９】
図２と図４とは、ともに対物レンズ駆動装置１を示す平面図であり、図２は、第１・第２保持部材１３ａを最も近接した位置に位置調節して固定した状態であり、ラジアル方向の一側に位置する２本のワイヤバネ４とラジアル方向の他側に位置する２本のワイヤバネ４とが平行に位置している。これに対し、図４は図２に示した状態から第１・第２保持部材１３ａ、１３ｂを離反する方向に位置調節した状態であり、ラジアル方向の一側に位置する２本のワイヤバネ４とラジアル方向の他側に位置する２本のワイヤバネ４との第１・第２保持部材１３ａ、１３ｂに固定されている側の間隔が図２に比べて広がっている。この広がりにより、ワイヤバネ４の捻り剛性が高くなり、ワイヤバネ４で支持された可動部２のラジアルチルト方向の固有振動数が高くなる。
【００４０】
このような構成において、この対物レンズ駆動装置１では、フォーカシングコイル８に電流を流すことによりフォーカシングコイル８と駆動用磁石１５ａとの間で推力が発生し、ワイヤバネ４が撓んで可動部２がフォーカシング方向に可動する。また、トラッキングコイル９に電流を流すことによりトラッキングコイル９と駆動用磁石１５ｂとの間で推力が発生し、ワイヤバネ４が撓んで可動部２がトラッキング方向（ラジアル方向）に可動する。
【００４１】
ここで、ワイヤバネ４で支持された可動部２の固有振動数が、この対物レンズ駆動装置１を搭載した光ディスク装置における光ディスク５の回転数と一致すると、光ディスク５の面ぶれや偏芯に追従するように対物レンズ駆動装置１の可動部２を移動させるときに強制加振を受けて発生するパッシブラジアルチルトが増大し、記録再生特性が劣化することになる。
【００４２】
そのような場合には、図２、図４に示したように、第１・第２保持部材１３ａ、１３ｂをタンジェンシャル方向と直交する方向に位置調節する。この位置調節により、ラジアル方向の一側に位置する２本のワイヤバネ４とラジアル方向の他側に位置する２本のワイヤバネ４との第１・第２保持部材１３ａ、１３ｂに固定されている側の間隔を変更してワイヤバネ４の捻り剛性を変化させることができ、それによって、可動部２の固有振動を変更することができる。これにより、光ディスク５の種類や倍速数に応じて光ディスク５の回転数が異なる各種の光ディスク装置においてこの対物レンズ駆動装置１を使用した場合でも、光ディスク５の回転数と可動部２の固有振動数とが一致することを防止することができ、光ディスク５に対する記録再生特性を良好に維持することができる。
【００４３】
なお、第１・第２保持部材１３ａ、１３ｂの位置調節は、対物レンズ駆動装置１の出荷時に行ってもよく、又は、必要に応じて適宜行うことができる。第１・第２保持部材１３ａ、１３ｂを位置調節した後に出荷することにより、必要な機能の提供と、安定性及び信頼性を達成することができる。また、必要に応じて第１・第２保持部材１３ａ、１３ｂの位置調節を行うことにより、各ユーザーに応じた調節を適宜行える。
【００４４】
また、可動部２のラジアルチルト方向の固有振動数の変更をワイヤバネ４の捻り剛性を変化させることにより行うので、可動部２の構造を変えることなく可動部２のラジアルチルト方向の固有振動数を変更することができ、各種の光ディスク装置で使用できる汎用性の高い対物レンズ駆動装置１を得ることができる。
【００４５】
さらに、第１・第２保持部材１３ａ、１３ｂの位置調節を送りねじ方式や電磁ソレノイド方式の移動調整手段を用いることにより、第１・第２保持部材１３ａ、１３ｂをラジアル方向に沿った逆方向へ同じ寸法ずつ移動させることができるので、可動部２に対する力学上の不均衡を生じさせることなく４本のワイヤバネ４による可動部２の弾性支持状態のラジアル方向のバランスを良好に維持することができる。
【００４６】
また、見方を変えると、第１・第２保持部材１３ａ、１３ｂは、一端側を可動部２に固定されて片持ち支持されたワイヤバネ４の他端側に固定されていることになるので、第１・第２保持部材１３ａ、１３ｂを位置調節した際におけるワイヤバネ４への残留応力や残留歪の発生を低減することができる。
【００４７】
本発明の第２の実施の形態を図５に基づいて説明する。なお、第１の実施の形態において説明した部分と同じ部分は同じ符号で示し、説明も省略する（以下の実施の形態でも同じ）。図５は、本発明の第２の実施の形態の対物レンズ駆動装置１Ａを示す平面図である。
【００４８】
本実施の形態の対物レンズ駆動装置１Ａの基本的構造は第１の実施の形態の対物レンズ駆動装置１と同じであり、本実施の形態が第１の実施の形態と異なる点は、第１・第２保持部材１３ａ、１３ｂに、対物レンズ６の光軸を中心とする円弧状長穴１７Ａが形成され、この円弧状長穴１７Ａにネジ１８が挿通されている点である。
【００４９】
このような構成において、本実施の形態の対物レンズ駆動装置１Ａでは、ネジ１８が円弧状長穴１７Ａ内を相対的に移動する方向へ第１・第２保持部材１３ａ、１３ｂを位置調節する。この位置調節により第１・第２保持部材１３ａ、１３ｂが矢印で示す方向に回動し、ラジアル方向の一側に位置する２本のワイヤバネ４とラジアル方向の他側に位置する２本のワイヤバネ４との第１・第２保持部材１３ａ、１３ｂに固定されている側の間隔を変更してワイヤバネ４の捻り剛性を変化させることができ、それによって、可動部２の固有振動を変更することができる。これにより、光ディスク５の種類や倍速数に応じて光ディスク５の回転数が異なる各種の光ディスク装置においてこの対物レンズ駆動装置１を使用した場合でも、光ディスク５の回転数と可動部２の固有振動数とが一致することを防止することができ、光ディスク５に対する記録再生特性を良好に維持することができる。
【００５０】
また、第１・第２保持部材１３ａ、１３ｂは対物レンズ６の光軸を中心とする円弧上に沿って位置調節される構造であるので、第１・第２保持部材１３ａ、１３ｂを位置調節した前後における可動部２の変位量を小さく抑制することができ、位置調節の前後において可動部２及び対物レンズ６を最適な範囲に維持することができる。
【００５１】
本発明の第３の実施の形態を図６に基づいて説明する。図６は、本発明の第３の実施の形態の対物レンズ駆動装置１Ｂを示す平面図である。
【００５２】
本実施の形態の対物レンズ駆動装置１Ａの基本的構造は第１の実施の形態の対物レンズ駆動装置１と同じであり、本実施の形態が第１の実施の形態と異なる点は、本実施の形態の保持部材１３Ａが、ラジアル方向の両側に位置する第１保持部材１３ａと第２保持部材１３ｂとこれらの第１・第２保持部材１３ａ、１３ｂを連結した弾性ヒンジ１３ｃとにより形成されている点である。保持部材１３Ａの基台３への固定は、接着により行われている。
【００５３】
このような構成において、本実施の形態の対物レンズ駆動装置１Ｂでは、第１・第２保持部材１３ａ、１３ｂを弾性ヒンジ１３ｃとの連結部で回動させ、第１・第２保持部材１３ａ、１３ｂを位置調節する。この位置調節により、第１・第２保持部材１３ａ、１３ｂが弾性ヒンジ１３ｃとの連結部を支点として矢印で示す方向に回動し、ラジアル方向の一側に位置する２本のワイヤバネ４とラジアル方向の他側に位置する２本のワイヤバネ４との第１・第２保持部材１３ａ、１３ｂに固定されている側の間隔を変更してワイヤバネ４の捻り剛性を変化させることができ、それによって、可動部２の固有振動を変更することができる。これにより、光ディスク５の種類や倍速数に応じて光ディスク５の回転数が異なる各種の光ディスク装置においてこの対物レンズ駆動装置１を使用した場合でも、光ディスク５の回転数と可動部２の固有振動数とが一致することを防止することができ、光ディスク５に対する記録再生特性を良好に維持することができる。
【００５４】
ワイヤバネ４の捻り剛性を変化させるために行う第１・第２保持部材１３ａ、１３ｂの位置調節は、保持部材１３Ａを弾性ヒンジ１３ｃの箇所で基台３に仮固定しておき、第１・第２保持部材１３ａ、１３ｂを弾性ヒンジ１３ｃとの連結部で回動させることにより行えるので、第１・第２保持部材１３ａ、１３ｂを位置調節するための構造が簡単であり、かつ、位置調節の作業も簡単に行える。第１・第２保持部材１３ａ、１３ｂを回動した後、基台３に接着固定する。
【００５５】
本発明の第４の実施の形態を図７に基づいて説明する。
【００５６】
本実施の形態は、上述した各実施の形態のように構成された対物レンズ駆動装置１を備えた光ピックアップ装置３０への適用例を示す。光ピックアップ装置３０に搭載されている半導体レーザ等のレーザ光源３１から出射された拡散光は、コリメートレンズ３２によって略平行光とされる。その後、ビームスプリッタ３３を通り、立ち上げプリズム１４により折り曲げられ、立ち上げプリズム１４によって折り曲げられた平行光は対物レンズ６に入射し、光ディスク５上にスポットを形成する。
【００５７】
スポットの反射光はビームスプリッタ３３によって来た方向と向きを変えられ、集光レンズ３６とシリンドリカルレンズ３７を通った後、４分割受光素子３８に入射する。光ディスク５上のスポットの反射光が４分割受光素子３８に入射するように上述の各光学部品を配置しておく。４分割受光素子３８で得られた信号を元にして対物レンズ駆動装置１のフォーカシングコイル８とトラッキングコイル９とに通電することにより、光ディスク５に対して対物レンズ６を追従させることができる。集光レンズ３６、シリンドリカルレンズ３７及び４分割受光素子３８により受光光学系３９が構成されている。さらに、４分割受光素子３８の受光信号に基づいて対物レンズ駆動装置１に対する駆動信号を出力する対物レンズ制御系（図示せず）が設けられている。
【００５８】
このような構成において、光ピックアップ装置３０に搭載されている対物レンズ駆動装置１は、上述した第１ないし第３の実施の形態で説明したように構成されており、上述のように対物レンズ駆動装置１によって対物レンズ６を光ディスク５に対して追従させて光ディスク５の情報の読み取り、又は、光ディスク５への情報の書き込みを行える。しかも、この対物レンズ駆動装置１は、光ディスク５の回転数に応じて可動部２の固有振動数を変更することができるので、光ディスク５の回転数が異なる各種の光ピックアップ装置３０においてこの対物レンズ駆動装置１を使用することができ、対物レンズ駆動装置１の汎用性を高めることができる。
【００５９】
本発明の第５の実施の形態を図８及び図９に基づいて説明する。本実施の形態は、上述した光ピックアップ装置３０を搭載した光ディスク装置４０への適用例を示す。まず、光ディスク装置４０の筐体４１に防振ゴム４２を介してピックアップモジュールベース４３が設置されている。ピックアップモジュールベース４３には光ディスク５を回転させる回転駆動系としてのスピンドルモータ４４が固定されている。また、ピックアップモジュールベース４３に取付けられたシークレール４５にはキャリッジ４６が固定されている。キャリッジ４６には光ピックアップ装置３０が搭載され、光ピックアップ装置３０はシークレール４５上を光ディスク５の半径方向（ラジアル方向）に移動可能とされている。
【００６０】
ここで、当該光ディスク装置４０に搭載されている光ピックアップ装置３０は、上述した第４の実施の形態で説明したように、光ディスク５の回転数に対応して可動部２の固有振動数を変更できるので、光ディスク５の回転数が異なる各種の光ディスク装置４０においてこの対物レンズ駆動装置１を使用することができ、対物レンズ駆動装置１の汎用性を高めることができる。
【図面の簡単な説明】
【００６１】
【図１】本発明の第１の実施の形態の対物レンズ駆動装置を示す斜視図である。
【図２】その平面図である。
【図３】その側面図である。
【図４】第１保持部材と第２保持部材とを位置調節した後の対物レンズ駆動装置を示す平面図である。
【図５】本発明の第２の実施の形態の対物レンズ駆動装置を示す平面図である。
【図６】本発明の第３の実施の形態の対物レンズ駆動装置を示す平面図である。
【図７】本発明の第４の実施の形態の光ピックアップ装置を示す概略構成図である。
【図８】本発明の第５の実施の形態の光ディスク装置を示す概略平面図である。
【図９】その側面図である。
【符号の説明】
【００６２】
１      対物レンズ駆動装置
２      可動部
３      基台
４      弾性支持部材
５      光ディスク
６      対物レンズ
７      対物レンズ保持部材
８、９  駆動用コイル
１２ａ、１２ｂ  ヨーク
１３      保持部材
１３Ａ    保持部材
１３ａ    第１保持部材
１３ｂ    第２保持部材
１３ｃ    弾性ヒンジ
１５ａ、１５ｂ  駆動用磁石
３０      光ピックアップ
３１      レーザ光源
３９      受光光学系
４０      光ディスク装置
４４      回転駆動系
【図１】
2006048757.tif 000003
【図２】
2006048757.tif 000004
【図３】
2006048757.tif 000005
【図４】
2006048757.tif 000006
【図５】
2006048757.tif 000007
【図６】
2006048757.tif 000008
【図７】
2006048757.tif 000009
【図８】
2006048757.tif 000010
【図９】
2006048757.tif 000011